(57)【要約】【課題】任意の大きさの直径を有する中空柱の中心軸に対してガイド棒を固定的に設定できるガイド棒固定用治具を提供する。【解決手段】ガイド棒に対して上下動可能に取り付けられた可動部がガイド棒に沿って下降するにつれて複数の上腕用固定腕部と上腕用長さ調整腕部からなる複数の上腕部の下端と複数の下腕用固定腕部と下腕用長さ調整腕部からなる複数の下腕部の上端との連結部が中空柱の内周面に向かって屈曲し、当該連結部が中空柱の内周面に当接することによりガイド棒を中空柱の中心軸に設定する。【選択図】        図１
2010112008.tif 000002
【特許請求の範囲】
【請求項１】
下部の所定長部分が地中に埋設されて地上に立設された中空柱の中心軸にガイド棒を固定的に設定するためのガイド棒固定用治具であって、
ガイド棒を挿通され、ガイド棒に固定的に取り付けられた固定部と、
この固定部に対して下端が中空柱の周方向に等角度でかつ該下端を中心に上下方向に揺動自在に取り付けられた複数の下腕用長さ調整腕部と、
この複数の下腕用長さ調整腕部の上端に下端が上下方向で揺動自在に取り付けられ、複数の下腕用長さ調整腕部とで複数の下腕部を構成する複数の下腕用固定腕部と、
前記固定部の上方においてガイド棒を挿通され、ガイド棒に対して上下動可能に取り付けられた可動部と、
前記複数の下腕用固定腕部の上端に下端が上下方向に揺動自在に連結され、該下端と複数の下腕用固定腕部の上端とで連結部を構成する複数の上腕用固定腕部と、
この複数の上腕用固定腕部の上端に下端が上下方向に揺動自在に取り付けられ、前記複数の下腕用長さ調整腕部に対応するように上端が可動部に対して中空柱の周方向に等間隔でかつ該上端を中心に上下方向に揺動自在に取り付けられ、複数の上腕用固定腕部とで複数の上腕部を構成する複数の上腕用長さ調整腕部とを有し、
ガイド棒に対して上下動可能に取り付けられた可動部がガイド棒に沿って下降するにつれて複数の上腕用固定腕部と上腕用長さ調整腕部からなる複数の上腕部の下端と複数の下腕用固定腕部と下腕用長さ調整腕部からなる複数の下腕部の上端との連結部が中空柱の内周面に向かって屈曲し、当該連結部が中空柱の内周面に当接することによりガイド棒を中空柱の中心軸に設定する
ことを特徴とするガイド棒固定用治具。
【請求項２】
前記複数の下腕用長さ調整腕部および複数の上腕用長さ調整腕部は、比較的容易に取り外せて、別の複数の下腕用長さ調整腕部および複数の上腕用長さ調整腕部と交換することが可能であるように構成されていることを特徴とする請求項１記載のガイド棒固定用治具。
【請求項３】
前記固定部と可動部との間のガイド棒に固定され、ガイド棒に沿って下降する可動部が当って、可動部のそれ以上の下降を阻止するストッパーを有することを特徴とする請求項１または２記載のガイド棒固定用治具。
【発明の詳細な説明】
【技術分野】
【０００１】
本発明は、下部の所定長部分が地中に埋設されて地上に立設された例えば鋼管柱やコンクレート製の電柱などの中空柱の中心軸にガイド棒を固定的に設定するためのガイド棒固定用治具に関する。
【背景技術】
【０００２】
鋼管柱やコンクリート製の電柱などの中空柱は、通常、下部の所定長部分が地中に埋設されて地上に立設される。このような中空柱は、筒状の中空柱であり、その内部は空洞、すなわち中空となっている。
【０００３】
このような中空柱においては、下部は地中に埋設されているため、強固であるが、この下部から上方に伸び出た地上部分と下部との境の地際、すなわち中空柱の地中に埋設された地中部分と地上に立設された地上部分との境の地際が特に他の部分に比較して脆弱であるとともに、この地際部分に限らず全体的に中空であるため、地際より上方の部分も脆弱である。
【０００４】
このように脆弱な中空柱を補強するために、中空柱内に例えばアラミドロッドやＰＣ鋼線などの補強用棒状部材を中空柱の長手方向に複数挿入することが行なわれている。この複数の補強用棒状部材は、中空柱の周方向に等角度で均等に配設されるとともに、中空柱の半径方向においても同じ距離のところに配設されることが中空柱の補強のためには必要である。このように複数の補強用棒状部材を中空柱内において周方向に等角度で均等にかつ中空柱の半径方向においても同じ距離のところに配設するために中空柱の中心軸を確定し、この中心軸を中心にして補強用棒状部材を適確に配設することが必要である。
【０００５】
中空柱の中心軸を確定するために、中空柱内にガイド棒を挿入し、このガイド棒を中空柱の中心軸に固定的に設定するようにしている。そして、ガイド棒を中空柱の中心軸に正確に固定するために、例えば図６、７に示す例では、ガイド棒固定用治具４３を使用し、このガイド棒固定用治具４３にガイド棒２７を挿入して、ガイド棒２７を中空柱の中心軸に設定している（特許文献１参照）。
【０００６】
この従来のガイド棒固定用治具４３は、複数組（図６、７では３組）の上腕４３ａと下腕４３ｂから構成され、これらの上腕４３ａと下腕４３ｂは図６に示すように両者の連結部５１が屈曲して開いた状態と図７に示すように閉じてつぼんだ状態をとることができ、この閉じてつぼんだ状態でガイド棒２７とともに中空柱内に挿入される。そして、ガイド棒固定用治具４３は、この閉じてつぼんだ状態で中空柱内に挿入された後、図６に示すように連結部５１を屈曲させて開くと、この連結部５１が図８に示すように中空柱３の内周面に当接することになり、これによりガイド棒２７は中空柱３の中心軸に設定されることになる。
【特許文献１】特願２００８−２３２４８１号
【発明の開示】
【発明が解決しようとする課題】
【０００７】
従来のガイド棒固定用治具４３は、図６に示すように、複数組の上腕４３ａと下腕４３ｂが所定の長さに設定されているため、この複数組の上腕４３ａと下腕４３ｂの長さに対応する所定の直径の中空柱に対してのみ有効であり、より大きな直径の中空柱に対しては適用できないという問題がある。
【０００８】
本発明は、上記に鑑みてなされたもので、その目的とするところは、任意の大きさの直径を有する中空柱の中心軸に対してガイド棒を固定的に設定できるガイド棒固定用治具を提供することにある。
【課題を解決するための手段】
【０００９】
上記課題を達成するため、請求項１記載のガイド棒固定用治具は、下部の所定長部分が地中に埋設されて地上に立設された中空柱の中心軸にガイド棒を固定的に設定するためのガイド棒固定用治具であって、ガイド棒を挿通され、ガイド棒に固定的に取り付けられた固定部と、この固定部に対して下端が中空柱の周方向に等角度でかつ該下端を中心に上下方向に揺動自在に取り付けられた複数の下腕用長さ調整腕部と、この複数の下腕用長さ調整腕部の上端に下端が上下方向で揺動自在に取り付けられ、複数の下腕用長さ調整腕部とで複数の下腕部を構成する複数の下腕用固定腕部と、前記固定部の上方においてガイド棒を挿通され、ガイド棒に対して上下動可能に取り付けられた可動部と、前記複数の下腕用固定腕部の上端に下端が上下方向に揺動自在に連結され、該下端と複数の下腕用固定腕部の上端とで連結部を構成する複数の上腕用固定腕部と、この複数の上腕用固定腕部の上端に下端が上下方向に揺動自在に取り付けられ、前記複数の下腕用長さ調整腕部に対応するように上端が可動部に対して中空柱の周方向に等間隔でかつ該上端を中心に上下方向に揺動自在に取り付けられ、複数の上腕用固定腕部とで複数の上腕部を構成する複数の上腕用長さ調整腕部とを有し、ガイド棒に対して上下動可能に取り付けられた可動部がガイド棒に沿って下降するにつれて複数の上腕用固定腕部と上腕用長さ調整腕部からなる複数の上腕部の下端と複数の下腕用固定腕部と下腕用長さ調整腕部からなる複数の下腕部の上端との連結部が中空柱の内周面に向かって屈曲し、当該連結部が中空柱の内周面に当接することによりガイド棒を中空柱の中心軸に設定することを要旨とする。
【００１０】
請求項１記載のガイド棒固定用治具では、ガイド棒に対して上下動可能に取り付けられた可動部がガイド棒に沿って下降するにつれて複数の上腕用固定腕部と上腕用長さ調整腕部からなる複数の上腕部の下端と複数の下腕用固定腕部と下腕用長さ調整腕部からなる複数の下腕部の上端との連結部が中空柱の内周面に向かって屈曲し、当該連結部が中空柱の内周面に当接することによりガイド棒を中空柱の中心軸に設定するため、ガイド棒を中空柱の中心軸に適確に設定することができるとともに、下腕用長さ調整腕部と上腕用長さ調整腕部を長さの異なる別のものに交換することにより、ガイド棒固定用治具が適用される中空柱が限定されず、任意の直径の中空柱に容易に適用することができ、応用範囲が広まるとともに、中空柱の大きさに合わせていちいちガイド棒固定用治具を作成する必要がなくなり、標準品として在庫化することができ、効率化、経済化を図ることができる。
【００１１】
請求項２記載のガイド棒固定用治具は、前記複数の下腕用長さ調整腕部および複数の上腕用長さ調整腕部が、比較的容易に取り外せて、別の複数の下腕用長さ調整腕部および複数の上腕用長さ調整腕部と交換することが可能であるように構成されていることを要旨とする。
【００１２】
請求項２記載のガイド棒固定用治具では、複数の下腕用長さ調整腕部および複数の上腕用長さ調整腕部は比較的容易に取り外せて、別の複数の下腕用長さ調整腕部および複数の上腕用長さ調整腕部と交換することが可能であるため、ガイド棒固定用治具が適用される中空柱が限定されず、任意の直径の中空柱に容易に適用することができる。
【００１３】
請求項３記載のガイド棒固定用治具は、前記固定部と可動部との間のガイド棒に固定され、ガイド棒に沿って下降する可動部が当って、可動部のそれ以上の下降を阻止するストッパーを有することを要旨とする。
【００１４】
請求項３記載のガイド棒固定用治具では、可動部がストッパーに当って必要以上の下降を防止することができる。
【発明の効果】
【００１５】
本発明によれば、ガイド棒に対して上下動可能に取り付けられた可動部がガイド棒に沿って下降するにつれて複数の上腕用固定腕部と上腕用長さ調整腕部からなる複数の上腕部の下端と複数の下腕用固定腕部と下腕用長さ調整腕部からなる複数の下腕部の上端との連結部が中空柱の内周面に向かって屈曲し、当該連結部が中空柱の内周面に当接することによりガイド棒を中空柱の中心軸に設定するので、ガイド棒を中空柱の中心軸に適確に設定することができるとともに、下腕用長さ調整腕部と上腕用長さ調整腕部を長さの異なる別のものに交換することにより、ガイド棒固定用治具が適用される中空柱が限定されず、任意の直径の中空柱に容易に適用することができ、応用範囲が広まるとともに、中空柱の大きさに合わせていちいちガイド棒固定用治具を作成する必要がなくなり、標準品として在庫化することができ、効率化、経済化を図ることができる。
【００１６】
また、本発明によれば、複数の下腕用長さ調整腕部および複数の上腕用長さ調整腕部は比較的容易に取り外せて、別の複数の下腕用長さ調整腕部および複数の上腕用長さ調整腕部と交換することが可能であるので、ガイド棒固定用治具が適用される中空柱が限定されず、任意の直径の中空柱に容易に適用することができる。
【発明を実施するための最良の形態】
【００１７】
以下、図面を用いて、本発明を実施するための最良の形態(以下、実施形態と称する)を説明する。
【００１８】
図１は、本発明の一実施形態に係わるガイド棒固定用治具の構造を示す斜視図である。同図に示すガイド棒固定用治具１は、中空柱３の中心軸にガイド棒５を固定的に設定している状態で図示されている。
【００１９】
このガイド棒固定用治具１は、ガイド棒５を挿通され、ガイド棒５に固定的に取り付けられた固定部１１およびこの固定部１１の上方においてガイド棒５を挿通され、ガイド棒５に対して上下動可能に取り付けられた可動部１３を有する。また、ガイド棒固定用治具１は、ほぼ真中で「く」の字状に屈曲した複数組、本実施形態では３組の腕部１５を有し、各腕部１５の下端は固定部１１に上下方向に揺動自在に取り付けられ、上端は可動部１３に上下方向に揺動自在に取り付けられている。
【００２０】
各腕部１５は、前記屈曲した部分を中心として下方および上方に延出した下腕１７と上腕１９を有し、各下腕１７は下端が固定部１１に対して上下方向に揺動自在に取り付けられた下腕用長さ調整腕部１７ａと該下腕用長さ調整腕部１７ａの上端に対して下端が上下方向で揺動自在に取り付けられた下腕用固定腕部１７ｂとから構成されている。また、各上腕１９は上端が可動部１３に対して上下方向に揺動自在に取り付けられた上腕用長さ調整腕部１９ａと該上腕用長さ調整腕部１９ａの下端に対して上端が上下方向で揺動自在に連結された上腕用固定腕部１９ｂとから構成されている。
【００２１】
なお、下腕用固定腕部１７ｂおよび上腕用固定腕部１９ｂは、同じ形状の２枚の板を重ねて構成されているが、下腕用長さ調整腕部１７ａおよび上腕用長さ調整腕部１９ａは、１枚の板で構成されていて、これらの下腕用長さ調整腕部１７ａと上腕用長さ調整腕部１９ａは、ねじなどをはずして、長さが異なる別の下腕用長さ調整腕部１７ａおよび上腕用長さ調整腕部１９ａにそれぞれ容易に交換できるように取り付けられている。すなわち、これらの下腕用長さ調整腕部１７ａと上腕用長さ調整腕部１９ａを取り外して、例えば別の長さがより長い異なるものに交換すれば、図１に示すように、屈曲した複数の腕部１５の連結部２１が内周面に当接する中空柱３の直径がより大きなものに適用できるようになる。
【００２２】
下腕用固定腕部１７ｂの上端と上腕用固定腕部１９ｂの下端が「く」の字状に屈曲して連結した連結部２１は、図１においては中空柱３の内周面に当接している。このように連結部２１が中空柱３の内周面に当接することにより、ガイド棒５を中空柱３の中心軸に設定することが可能となる。
【００２３】
また、可動部１３の直下のガイド棒５には、ストッパー２３が小ねじなどにより固定されている。ガイド棒５に対して上下動可能に取り付けられた可動部１３がこのストッパー２３より下方に移動しないようになっている。
【００２４】
ガイド棒固定用治具１は、図１に示すように各腕部１５が屈曲して開いた状態から可動部１３がガイド棒５に沿って上方に引っ張られて移動すると、この可動部１３の上方へに移動に応じて各腕部１５の上腕用長さ調整腕部１９ａの上端が上方に引っ張られ、これにより各腕部１５は屈曲状態から徐々に伸びあがり、最後には図２に示すように各腕部１５は閉じてつぼんだ状態になる。この閉じてつぼんだ状態は、ガイド棒固定用治具１を中空柱３の中に挿入する場合に必要となる状態である。
【００２５】
次に、以上のように構成されるガイド棒固定用治具１を使用して、ガイド棒５を中空柱３の中心軸に設定する操作について図３、４を参照して説明する。
【００２６】
図３はガイド棒固定用治具１を装着したガイド棒５を中空柱３の中に挿入しようとする途中の状態を示しているが、同図に示すように、ガイド棒５を中空柱３の中に挿入するためには、中空柱３の地際から地上約２メートルの側面に例えば幅６センチメートル、長さ４０センチメートル程度の側部開３ｃを中空柱３の長手方向に沿って形成する。そして、この側部開口３ｃからガイド棒５を挿入するが、このとき中空柱３の中に挿入されたガイド棒５の下端が中空柱３の底に当ってから中空柱３の底にめり込まないようにするために、ガイド棒５の下端に図３に示すように小径のめり込み阻止部材２５が取り付けられる。
【００２７】
そして、このめり込み阻止部材２５を取り付けられたガイド棒５の下端より少し上方のガイド棒５に本実施形態のガイド棒固定用治具１を図２に示したように閉じてつぼんだ状態で取り付ける。このガイド棒固定用治具１のガイド棒５への取り付けは、中空柱３の外部においてガイド棒固定用治具１の固定部１１および可動部１３にガイド棒５を挿入するとともに、この固定部１１と可動部１３との間のガイド棒５をストッパー２３に挿入する。このガイド棒５の挿入手順は、ガイド棒５を固定部１１または可動部１３に挿入してからストッパー２３に挿入し、最後に可動部１３または固定部１１に挿入する。
【００２８】
ガイド棒固定用治具１の固定部１１、可動部１３、ストッパー２３にガイド棒５を挿入した後、ガイド棒固定用治具１の固定部１１を所定の位置までガイド棒５上を移動されてから、固定部１１を小ねじなどでガイド棒５に固定して、ガイド棒固定用治具１をガイド棒５に装着する。図３では、ガイド棒５の下端のめり込み阻止部材２５の少し上に固定部１１を固定する。それから、ストッパー２３を固定部１１の少し上でガイド棒５に小ねじなどで固定する。
【００２９】
このようにガイド棒固定用治具１の固定部１１およびストッパー２３をガイド棒５に固定してから、ガイド棒固定用治具１の可動部１３を固定部１１、ストッパー２３から離隔させるように移動して複数の腕部１５を図２に示すように閉じてつぼめる。そして、このように腕部１５が閉じてつぼんだ状態でガイド棒固定用治具１を取り付けられたガイド棒５を図３に示すように斜めにして、中空柱３の側部開３ｃから挿入する。
【００３０】
具体的には、まずガイド棒５の下端に取り付けられた小径のめり込み阻止部材２５を側部開口３ｃから中空柱３の中に挿入し、それから図３に示すように閉じてつぼんだ状態のガイド棒固定用治具１を側部開口３ｃから中空柱３の中に斜めに挿入する。中空柱３の中に斜めに挿入した後、ガイド棒固定用治具１を閉じてつぼんだ状態で装着されたガイド棒５を更に中空柱３の中に斜めに下降させながら押し進め、ガイド棒５の全体を中空柱３の中に挿入する。なお、このガイド棒５の挿入は、比較的短い複数のガイド棒５を継ぎ足しながら行なわれてもよい。
【００３１】
ガイド棒５は、ガイド棒固定用治具１を閉じてつぼんだ状態で装着されて中空柱３の中に挿入されると、ガイド棒５は中空柱３の中で真直ぐな状態に設定されるので、この状態でガイド棒５を徐々に中空柱３の中を下降させる。ガイド棒５を中空柱３の中で徐々に下降させると、ガイド棒５に閉じてつぼんだ状態で取り付けられていたガイド棒固定用治具１は、その可動部１３がその自重と複数の腕部１５の重みでガイド棒５に沿って徐々に下降し始め、これにより複数の腕部１５の連結部２１は屈曲し始め、中空柱３の内周面に向かって進む。
【００３２】
そして、ガイド棒５の下端のめり込み阻止部材２５が中空柱３の底に当接する頃または当接する前には、屈曲した複数の腕部１５の連結部２１は、図４に示すように、中空柱３の内周面に当接する。屈曲した複数の連結部２１が中空柱３の内周面に当接すると、ガイド棒固定用治具１に挿入されて保持されているガイド棒５は、中空柱３の周方向に等角度で取り付けられた複数の腕部１５の連結部２１が中空柱３の内周面に当接した時の当接力により中空柱３の内周面から等距離の位置に設定され、これによりガイド棒５は中空柱３の中心軸に正確に設定されることになる。
【００３３】
本実施形態のガイド棒固定用治具１は、上述したように構成され作用するが、複数の腕部１５を構成している下腕用長さ調整腕部１７ａおよび上腕用長さ調整腕部１９ａは、上述したように、容易に取り外して、長さが異なる別の下腕用長さ調整腕部１７ａおよび上腕用長さ調整腕部１９ａと交換することができるようになっている。従って、長さが異なる別の下腕用長さ調整腕部１７ａおよび上腕用長さ調整腕部１９ａに交換した場合には、その長さに適した直径を有する中空柱３に簡単に適用することができる。
【００３４】
なお、下腕用長さ調整腕部１７ａ、上腕用長さ調整腕部１９ａの交換は、本実施形態では下腕用長さ調整腕部１７ａ、上腕用長さ調整腕部１９ａを取り付けているねじを取り外し、別のものを同じねじで取り付けることが必要であるが、この作業は、それほど難しいものではなく、例えば初心者でも容易にできるものである。また、この取り外し、取り付けはねじで行う必要はなく、ねじの代わりに例えばクリック機構などを使用して簡単に行うことも可能である。
【００３５】
図１に示したガイド棒固定用治具１は、同図に示した直径を有する中空柱３に適用することができるが、この直径よりも大きな直径を有する中空柱３に適用しようとした場合には、ガイド棒固定用治具１は各腕部１５を図１に示すように屈曲しても、ガイド棒固定用治具１の連結部２１は中空柱３の内周面に当接することができず、従ってガイド棒５をこの大きな直径の中空柱３の中心軸に設定することができない。
【００３６】
そこで、本実施形態のガイド棒固定用治具１では、適用する中空柱３の直径が大きい場合には、長さが短い下腕用長さ調整腕部１７ａ、上腕用長さ調整腕部１９ａの代わりに、当該直径が大きい中空柱３に適用し得る長さを有する別の長い下腕用長さ調整腕部１７ａ、上腕用長さ調整腕部１９ａを使用し、これにより直径が大きい中空柱３に対してもガイド棒５を中心軸に適確に容易に適用し得るようにしているものである。
【００３７】
図５（ａ）、（ｂ）は、それぞれ長さが短い下腕用長さ調整腕部１７ａ、上腕用長さ調整腕部１９ａを使用したガイド棒固定用治具１と長さが長い下腕用長さ調整腕部１７ａａ、上腕用長さ調整腕部１９ａａを使用したガイド棒固定用治具１とを比較して示す斜視図であるが、図５（ａ）、（ｂ）に示す両ガイド棒固定用治具１は、長さが異なる下腕用長さ調整腕部１７ａ、上腕用長さ調整腕部１９ａ、下腕用長さ調整腕部１７ａａ、上腕用長さ調整腕部１９ａａ以外の構成要素および構成は全く同じである。すなわち、ガイド棒固定用治具１の基本的構成は全く同じである。
【００３８】
図５（ａ）に示す長さが短い下腕用長さ調整腕部１７ａ、上腕用長さ調整腕部１９ａを使用したガイド棒固定用治具１は、直径の小さい図５（ａ）の中空柱３に対してガイド棒５を設定するのに適用し得るが、直径の大きい図５（ｂ）の中空柱３に対しては適用することはできないので、この長さが短い下腕用長さ調整腕部１７ａ、上腕用長さ調整腕部１９ａを取り外し、代わりに図５（ｂ）に示す長さが長い下腕用長さ調整腕部１７ａａ、上腕用長さ調整腕部１９ａａを取り付け、この長さが長い下腕用長さ調整腕部１７ａａ、上腕用長さ調整腕部１９ａａを取り付けられたガイド棒固定用治具１を用いて、ガイド棒５を中空柱３の中心軸に設定する。
【図面の簡単な説明】
【００３９】
【図１】本発明の一実施形態に係わるガイド棒固定用治具の構造を示す斜視図である。
【図２】図１に示す実施形態のガイド棒固定用治具の腕部が閉じてつぼんだ状態を示す斜視図である。
【図３】図１、２に示す実施形態のガイド棒固定用治具を装着したガイド棒を中空柱の中に挿入しようとする途中の状態を示す図である。
【図４】図１、２に示す実施形態のガイド棒固定用治具を装着したガイド棒を中空柱の中に挿入完了し、ガイド棒が中空柱の中心軸に設定された状態を示す図である。
【図５】図１に示す実施形態のガイド棒固定用治具を下腕用長さ調整腕部、上腕用長さ調整腕部について長さが異なるものについて比較して示す斜視図である。
【図６】従来のガイド棒固定用治具を腕部が屈曲して開いた状態で示す斜視図である。
【図７】従来のガイド棒固定用治具を腕部が閉じてつぼんだ状態で示す斜視図である。
【図８】従来のガイド棒固定用治具を使用してガイド棒を中空柱の中心軸に設定した状態を示す図である。
【符号の説明】
【００４０】
1  ガイド棒固定用治具
3  中空柱
５  ガイド棒
１１  固定部
１３  可動部
１５  腕部
１７  下腕
１７ａ  下腕用長さ調整腕部
１９  上腕
１９ａ  上腕用長さ調整腕部
２１  連結部
２３  ストッパー
【図１】
2010112008.tif 000003
【図２】
2010112008.tif 000004
【図３】
2010112008.tif 000005
【図４】
2010112008.tif 000006
【図５】
2010112008.tif 000007
【図６】
2010112008.tif 000008
【図７】
2010112008.tif 000009
【図８】
2010112008.tif 000010